(57)【要約】【課題】建具体を枠体に横軸を支点として回転可能に取付ける作業が簡単で、短時間に取付けできるようにした建具とする。【解決手段】枠体１の縦枠１２に、横軸ガイド凹部４と横軸ガイド面５を長手方向に連続して形成すると共に、前記縦枠１２に軸受７を取付け、建具体の左右の縦部に取付けた横軸３を、前記横軸ガイド面５に沿って移動することで連通部５から横軸ガイド凹部４内に入り込み、その横軸ガイド凹部４に沿って下方に移動することで軸受７に回転可能に嵌まり合うようにすることで、建具体を枠体１に簡単で、短時間に取付けできるようにする。【選択図】図３
2010196334.tif 000002
【特許請求の範囲】
【請求項１】
枠体に建具体を横軸を支点として回転可能に取付けた建具であって、
前記建具体の左右縦部における上下中間部に横軸をそれぞれ取付け、
前記枠体の左右縦部には、面内方向の内側に開口した横軸ガイド凹部と、面外方向の一方に向かう横軸ガイド面が長手方向に連続してそれぞれ有し、
前記横軸ガイド凹部を面外方向の一方に開口した連通部で、前記横軸ガイド面に連続し、
前記枠体の左右縦部における前記横軸ガイド凹部内に、前記横軸が上方から下方に向けて移動することで回転可能に嵌まり合う形状の軸受をそれぞれ取付け、
前記軸受は、前記開口部よりも下方に位置することを特徴とする建具。
【請求項２】
前記軸受は、取付部と支承部を備え、その支承部は、上方に開口したほぼＣ字形状で、かつ離隔する方向に弾性変形可能な一対の支承片を有し、
この一対の支承片で横軸を回転可能で、かつ上下に動かないように支承する構成とした請求項１記載の建具。
【請求項３】
前記横軸は、小径軸部と、この小径軸部よりも突出した大径軸部を有し、
前記横軸ガイド凹部の開口部の面外方向の寸法は、前記小径軸部の径よりも大きく、かつ大径軸部の径よりも小さく、その大径軸部が横軸ガイド凹部内に位置するとともに前記支承片にて支承され、小径軸部が開口部から突出するようにし、
前記連通部の上下寸法は、前記大径軸部の径よりも大きい請求項１又は２記載の建具。
【請求項４】
前記横軸ガイド凹部及び横軸は金属製とし、前記支承部は樹脂製とした請求項２又は３記載の建具。
【発明の詳細な説明】
【技術分野】
【０００１】
本発明は、枠体に、障子、網戸、ガラリなどの建具体を、横軸を支点として回転可能に取付けた建具に関する。
【背景技術】
【０００２】
従来、枠体に建具体を横軸を支点として回転可能に取付けた建具としては、特許文献１に開示したように、窓枠（枠体）の左右縦枠に軸受を取付け、障子（建具体）の左右縦框に横軸を取付け、この横軸を、前記軸受の開口部から支承部に挿入し、その横軸を軸受によって回転可能に支承することで、障子を枠体に、横軸を支点として回転可能に取付けたものが提案されている。
【先行技術文献】
【特許文献】
【０００３】
【特許文献１】実公昭５７−４７９７号公報
【発明の概要】
【発明が解決しようとする課題】
【０００４】
前述した従来の建具における軸受は、室内外側方向に開口した開口部と、この開口部と連続した下向きの縦ガイド部と、この縦ガイドの下部と連続した半円形状の軸受部を有した形状で、横軸を開口部に挿入して縦ガイド部に沿って下方に移動して軸受部に接して回転可能に支承するようにしてある。
このようであるから、障子を窓枠に取付けるには、作業者が障子を手で持って上下、左右に移動することで左右の横軸を左右の軸受の開口部にそれぞれ位置合わせし、その状態で左右の横軸を左右の軸受の開口部に挿入するので、横軸と軸受の開口部との位置合わせが面倒である。
【０００５】
本発明の目的は、建具体を枠体に、横軸を支点として回転可能に取付ける作業が簡単で、短時間に取付けできるようにした建具とすることである。
【課題を解決するための手段】
【０００６】
本発明は、枠体に建具体を横軸を支点として回転可能に取付けた建具であって、
前記建具体の左右縦部における上下中間部に横軸をそれぞれ取付け、前記枠体の左右縦部には、面内方向の内側に開口した横軸ガイド凹部と、面外方向の一方に向かう横軸ガイド面が長手方向に連続してそれぞれ有し、前記横軸ガイド凹部を面外方向の一方に開口した連通部で、前記横軸ガイド面に連続し、前記枠体の左右縦部における前記横軸ガイド凹部内に、前記横軸が上方から下方に向けて移動することで回転可能に嵌まり合う形状の軸受をそれぞれ取付け、前記軸受は、前記開口部よりも下方に位置することを特徴とする建具である。
【０００７】
本発明においては、前記軸受は、取付部と支承部を備え、その支承部は、上方に開口したほぼＣ字形状で、かつ離隔する方向に弾性変形可能な一対の支承片を有し、この一対の支承片で横軸を回転可能で、かつ上下に動かないように支承する構成とすることができる。
このようにすれば、建具体を回転するときに横軸が軸受に対して上下方向に動くことがなく、建具体をスムーズに回転できる。
【０００８】
本発明においては、前記横軸は、小径軸部と、この小径軸部よりも突出した大径軸部を有し、前記横軸ガイド凹部の開口部の面外方向の寸法は、前記小径軸部の径よりも大きく、かつ大径軸部の径よりも小さく、その大径軸部が横軸ガイド凹部内に位置するとともに前記支承片にて支承され、小径軸部が開口部から突出するようにし、前記連通部の上下寸法は、前記大径軸部の径よりも大きいようにできる。
このようにすれば、横軸の大径軸部を横軸ガイド面に沿って移動することで、その大径軸部が連通部を通って横軸ガイド凹部内に挿入し、小径軸部が開口部から突出するので、横軸を横軸ガイド凹部に沿って下方に移動する際に横軸が横軸ガイド凹部から外れることがない。
本発明においては、前記横軸ガイド凹部及び横軸は金属製とし、前記支承部は樹脂製とすることができる。
このようにすれば、弾性変形可能な支承部を容易に構成することができる。また、万が一支承部が破損したとしても、金属製の横軸が金属製の横軸ガイド凹部で支持されるため、建具体が枠体から脱落することがない。
【発明の効果】
【０００９】
本発明によれば、建具体に取付けた一対の横軸を枠体の横軸ガイド面に沿って移動することで、その横軸を連通部を通して横軸ガイド凹部内に挿入し、その横軸を横軸ガイド凹部に沿って下方に移動することで軸受に回転可能に嵌合することができるから、建具体を枠体に、横軸を支点として回転可能に取付ける作業が簡単で、短時間に取付けできる。
【図面の簡単な説明】
【００１０】
【図１】本発明の実施の形態を示す建具の全体内観図である。
【図２】図１の詳細横断面図である。
【図３】図１の詳細縦断面図である。
【図４】横軸と軸受の嵌合状態の説明図である。
【図５】図４のＡ−Ａ断面図である。
【発明を実施するための形態】
【００１１】
図１に示すように、枠体１に建具体、例えば障子２が横軸を支点として回転可能に取付けた建具、例えば横軸回転窓としてある。
前記枠体１は、上枠１０と下枠１１と左右の縦枠１２を有している。
前記障子２は、上框２０と下框２１と左右の縦框２２を矩形状に連結し、その内部にガラス２３が装着してある。
前記左右の縦框２２の上下中間部、つまり建具体の左右縦部における上下中間部には、横軸３がそれぞれ取付けてある。
【００１２】
図２と図３に示すように、前記左右の縦枠１２、つまり枠体１の左右縦部には、面内方向の内側に開口した横軸ガイド凹部４を長手方向に連続して有し、左右の横軸ガイド凹部４は相対向している。
この横軸ガイド凹部４の上下方向の中間部は、連通部５によって面外側方向の一方に開口している。この連通部５は前記横軸３が挿通する大きさである。
前記連通部５の開口縁と連続して横軸ガイド面６が上下方向に連続して有する。
この横軸ガイド面６は面外方向の一方に向かう面で、前記横軸３が上下動可能に接する。
【００１３】
前記左右の縦枠１２には軸受７が、前記横軸ガイド凹部４内に位置するようにそれぞれ取付けてある。
前記軸受７は、前記横軸３が上から下に向けて移動することで回転可能に嵌まり合う形状で、この軸受７は、前記連通部５よりも下方に位置している。
つまり、枠体１に障子２を回転可能に取付けた状態では、横軸３と軸受７は上下方向に同一高さ位置に設けてあると共に、前記連通部５は軸受７よりも上方に形成してある。
【００１４】
前記障子２は、次のようにして枠体１に取付ける。
前述したように、左右の縦框２２に横軸３をそれぞれ取付けた障子２を手で持ち、前記枠体１の面外方向の一方側からその左右の横軸３を左右の横軸ガイド面６にそれぞれ接し、例えば障子２を上方に移動して横軸３を横軸ガイド面６に沿って上方に向けて摺動することで、その横軸３を連通部５から横軸ガイド凹部４内に挿入する。この際、横軸３を横軸ガイド面６に沿って上方に向けて摺動することで、その横軸３を連通部５から横軸ガイド凹部４内に挿入するようにしたが、これに限らず、横軸３を横軸ガイド面６に沿って下方に向けて摺動することで、その横軸３を連通部５から横軸ガイド凹部４内に挿入するようにしても良い。
この状態で障子２を下方に移動して横軸３を横軸ガイド凹部４に沿って下方に移動し、横軸３を軸受７に回転可能に嵌め込むことで、障子２を枠体１に、横軸３を支点として回転可能に取付けできる。
【００１５】
このように、横軸３と軸受７の位置合わせが不要で、横軸３を横軸ガイド面６、横軸ガイド凹部４に沿って上下に移動すれば良いので、障子２を枠体１に、横軸３を支点として回転可能に取付ける作業が簡単で、短時間に取付けできる。
【００１６】
次に、各部を詳細に説明する。
前記横軸３は、図２、図３に示すように、取付部３０と、この取付部３０に面内方向に向けて設けた小径軸部３１と、この小径軸部３１の先端部に設けた大径軸部３２を有している。
前記取付部３０が縦框２２の面外方向の一側面２２ａ，例えば室内外側方向の室内側面に固着具で固着して取付け、その小径軸部３１が縦框２２の面内方向の外側面２２ｂよりも面内方向の外側に突出している。前記取付部３０はカバー体３３で覆われている。
【００１７】
前記枠体１の縦枠１２は、その面内方向の内側面１２ａに第１内向板１３と第２内向板１４が面内方向の内側に向けて一体的に設けてあり、この第１内向板１３と第２内向板１４の突出方向の中間が連結板１５が連結されて前述の横軸ガイド凹部４を形成している。
前記連結板１５が横軸ガイド凹部４の底部４ｂで、前記第１・第２内向板１３，１４の内端部分（面内方向の内側端部分）は鉤形に折曲して横軸ガイド凹部４はあり溝形状で、その開口部４ａの面外方向の寸法が底部寄り部の面外方向の寸法よりも小さい。
前記第１内向板１３が面外方向の一方である室内側に位置し、その第１内向板１３が前述の横軸ガイド面６である。
前記第１内向板１３の一部が切欠きされ、その切欠き部１３ａが前述の連通部５である。
【００１８】
前記開口部４ａの面外方向の寸法は、前記横軸３の小径軸部３１の径よりも大きく、大径軸部３２の径よりも小さく、その大径軸部３２が横軸ガイド凹部４内に位置し、小径軸部３１が開口部４ａから突出し、かつ開口部４ａに沿って長手方向に移動可能で、前記大径軸部３２は開口部４ａから面内方向に抜け出ることがない。
したがって、横軸３を横軸ガイド凹部４に沿って移動するときに横軸３が横軸ガイド凹部４から外れることがない。
前記切欠き部１３ａ（連通部５）の上下寸法は、前記大径軸部３２の径よりも大きく、その大径軸部３２は連通部５から横軸ガイド凹部４内に入り込むことができる。
このようであるから、横軸３を横軸ガイド面６に沿って上方に摺動することで連通部５から横軸ガイド凹部４内に入り込むことができる。
【００１９】
前記軸受７は、図３、図４、図５に示すように、取付部４０と支承部４１を備え、その取付部４０が連結板１５（横軸ガイド凹部４の底部４ｂ）に固着具４２で固着して取付けてある。
前記支承部４１は、取付部４０の上面と連続した上向きの一対の支承片４３を有し、この支承片４３は離隔する方向に弾性変形可能で、ほぼＣ字形状で、一対の支承片４３と取付部４０の上面とで上部が開口した円形部４４を形成している。
前記一対の支承片４３の上部は離隔し、その一対の支承片４３の上部間に横軸３の大径軸部３２が押し込められることで一対の支承片４３が離隔する方向に弾性変形（拡開変形）する。
前記円形部４４に横軸３の大径軸部３２が回転可能で、上下に動かないように嵌まり合う。
尚、支承部４１の上部の開口は、垂直方向に上方に開口する形態に限らず、斜め上方に向けて開口する構成であっても良い。また、一対の支承片４３の上端から更に上方に向けてガイド片を設け、このガイド片で横軸３の大径軸部３２を一対の支承片４３間に案内する構成であっても良い。
【００２０】
このようであるから、図４に２点鎖線で示すように、横軸３の大径軸部３２が横軸ガイド面６に沿って移動することで、その大径軸部３２が連通部５から横軸ガイド凹部４内に入り込む。
その状態で横軸３を横軸ガイド凹部４に沿って下方に移動することで、大径軸部３２が一対の支承片４３を拡開変形し、円形部４４内に入り込み、取付部４０の上方で位置決めされると共に、一対の支承片４３が弾性復元し、大径軸部３２を回転可能で、かつ上下に動くことがないように支承する。
【００２１】
前述のようであるから、障子２が左右の横軸３を支点として回転可能に枠体１に取付けられるので、その障子２は図３に実線で示す閉じ姿勢から、上部が面外方向の一方（室内側）となるように回転することで仮想線で示すように開き姿勢とすることができる。
しかも、前述のように障子２を上下に回転するときに横軸３が軸受７に対して上下に動くことがないので、障子２をスムーズに上下に回転できる。
また、横軸ガイド凹部４及び横軸３は金属で形成され、軸受７（支承部４１）は樹脂で形成されている。このようであるから、弾性変形可能な支承片４３（支承部４１）を容易に構成することができる。また、万が一支承片４３（支持部４１）が破損したとしても、金属製の横軸３が金属製の横軸ガイド凹部４で支持されるため、障子２（建具体）が枠体１から脱落することがない。
【００２２】
前記縦框２２の面外方向の一側面２２ａに横軸３が取付けられ、その横軸３は前記一側面２２ａよりも面外方向の一方側に位置し、その横軸３が縦框２２の面内方向の外側面２２ｂと対向することがないので、前記横軸ガイド凹部４を縦枠１２における縦框２２と対向した部分よりも面外方向の一方側（本実施形態では面外方向の室内側）にずれた部分に形成することができる。
したがって、縦框２２の面外方向の外側面２２ｂの全面を縦枠１２と縦框２２との間のシールとして有効利用でき、横軸３、縦軸ガイド凹部４を設けたにもかかわらず縦枠１２と縦框２２との間を確実にシールできる。
例えば、縦枠１２に面外方向一側シール材１６と面外方向他側シール材１７を取付け、その各シール材１６，１７を、縦框２２の面内方向の外側面２２ｂにおける面外方向の両側寄りに接してシールする。
しかも、横軸３を取付けるために縦框２２の見込み寸法（室内外側方向の寸法）を必要以上に大きくすることがない。
さらに、回転機構部（横軸３、軸受７）が、各シール材１６，１７よりも室内側に位置しているため、障子２が閉じた状態において、この横軸３及び軸受７が雨水や砂埃等にさらされる恐れがない。このようであるから、横軸３及び軸受７の故障が起こり難くなっている。
【００２３】
前述の実施の形態では建具体を障子としたが、建具体は網戸やガラリ等とすることもできる。
また、軸受７を樹脂製としたが、軸受７の取付部４０と支承部４１を別体で形成し、取付部４０を金属製とし支承部４１を樹脂製としても良い。尚、軸受７の全てを金属で構成しても良い。
また、横軸ガイド凹部４及び横軸３を金属製としたが、一部分に樹脂を設けても良い。尚、横軸ガイド凹部４及び横軸３の全てを金属以外の剛性体で構成しても良い。
【符号の説明】
【００２４】
１…枠体、２…障子（建具体）、３…横軸、４…横軸ガイド凹部、４ａ…開口部、４ｂ…底部、５…連通部、６…横軸ガイド面、７…軸受、３０…取付部、３１…小径軸部、３２…大径軸部、４０…取付部、４１…支承部、４２…固着具、４３…支承片、４４…円形部。
【図１】
2010196334.tif 000003
【図２】
2010196334.tif 000004
【図３】
2010196334.tif 000005
【図４】
2010196334.tif 000006
【図５】
2010196334.tif 000007